(57)【特許請求の範囲】
【請求項１】
複数の加入者を収容する加入者側の伝送装置と、交換機に接続された伝送装置とを、多重化された伝送路で接続する加入者伝送装置における、前記加入者側の伝送装置に、
発呼信号と着呼信号とをそれぞれ保持するメモリと、
加入者線の信号を送受信する加入者送受信装置と、
電話の使用率が所定の値より低いとき、前記加入者送受信装置における特定の加入者数に対応する加入者送受信装置のみを稼働状態に設定し、該稼動状態に設定されなかった加入者送受信装置の動作を停止させるよう、加入者送受信装置への給電を切換え、該給電の切替え時に前記メモリを動作させ、該メモリを経由して発呼信号と着呼信号とを前記加入者送受信装置に接続する制御装置と
を設けたことを特徴とする加入者伝送装置。
【請求項２】
加入者線の信号を送受信する回路を複数の加入者に対応して備えた加入者送受信装置と、該加入者送受信装置の送受信信号を多重・分離する信号多重および非多重化装置と、該信号多重および非多重化装置の多重・分離する信号を送受信する伝送信号送受信装置とを備えた加入者側の伝送装置と、
交換機との間で信号を送受信する回路を複数の加入者に対応して備えた加入者送受信装置と、該加入者送受信装置の送受信信号を多重・分離する信号多重および非多重化装置と、該信号多重および非多重化装置の多重・分離する信号を送受信する伝送信号送受信装置とを備えた交換機側の伝送装置とを有し、
前記加入者側の伝送装置の伝送信号送受信装置と交換機側の伝送装置の伝送信号送受信装置とを伝送路を介して接続する加入者伝送装置における前記加入者側の伝送装置において、
前記加入者側の伝送装置の加入者送受信装置から発呼する信号を一時保持するメモリを該加入者送受信装置の前段に設け、該加入者送受信装置へ着呼する信号を一時保持するメモリを該加入者送受信装置の後段に設けるとともに、
電話の使用率が所定の値より低いとき、該加入者送受信装置における特定の加入者数に対応する加入者送受信装置のみを稼働状態に設定し、該稼動状態に設定されなかった加入者送受信装置の動作を停止させるよう、加入者送受信装置への給電を切換え、該給電の切替え時に前記メモリを動作させ、該メモリを経由して発呼信号と着呼信号とを前記加入者送受信装置に接続する制御装置と
を設けたことを特徴とする加入者伝送装置。
【請求項３】
前記制御装置が、外部からの制御情報に応じて特定の加入者数に対応する加入者送受信装置を稼動状態に設定する切替えを行うサービス切替スイッチと、該サービス切替スイッチの切り替えに応じて、メモリにおける動作位相を制御する位相調整部と、該位相調整部からの位相調整に応じて、メモリにおける書き込み，読み出しのタイミングを制御するタイミング制御部と、該サービス切替スイッチの切り替えに応じて、加入者送受信装置中における、前記特定の加入者数に対応する加入者送受信装置を稼動状態に設定する切替命令を発生する送受信機切替命令部とを有することを特徴とする請求項１または２に記載の加入者伝送装置。
【請求項４】
前記サービス切替スイッチに対する制御情報が、交換機側の伝送装置から多重信号によって伝送され、加入者側の伝送装置において信号多重および非多重化装置において分離されて、制御装置に与えられることを特徴とする請求項３に記載の加入者伝送装置。
【請求項５】
請求項１または２に記載の加入者伝送装置において、前記特定の加入者数に対応する加入者送受信装置のみを稼働状態に設定し、他の加入者送受信装置の動作を停止させ、前記メモリを動作させる制御情報を発生する制御装置を交換機側の伝送装置に設けるとともに、該伝送装置から該制御情報を多重信号によって伝送し、加入者側の伝送装置において、信号多重および非多重化装置において分離した該制御情報に基づいて前記各制御を行うことを特徴とする加入者伝送装置。
【請求項６】
請求項１または２に記載の加入者伝送装置において、前記加入者側の伝送装置を動作させるＤＣ電源を供給するＡＣ／ＤＣ変換器における商用電源の停電時にバッテリから該ＤＣ電源を供給するとともに、該バッテリ電源供給時、前記制御装置が前記特定の加入者数に対応する加入者送受信装置のみを稼働状態に設定し、他の加入者送受信装置の動作を停止させ、前記メモリを動作させるように制御する電力供給制御装置を設けたことを特徴とする加入者伝送装置。
【請求項７】
前記電力供給制御装置が、前記ＡＣ／ＤＣ変換器からのＤＣ電源の断を検出する電源監視部と、該ＤＣ電源断の検出によってバッテリからＤＣ電源を供給するバッテリ切替部と、ＡＣ／ＤＣ変換器からのＤＣ電源またはバッテリ切替部からのＤＣ電源を伝送装置内に配電する電力配電部と、外部からの制御情報に応じて、前記電源監視部においてＡＣ／ＤＣ変換器からのＤＣ電源を遮断し、バッテリ切替部においてバッテリからＤＣ電源を供給し、電力配電部においてバッテリ切替部からのＤＣ電源を伝送装置内に配電するように制御する電源切替部とを有することを特徴とする請求項６に記載の加入者伝送装置。
【請求項８】
前記電源切替部に対する制御情報が、交換機側の伝送装置から多重信号によって伝送され、加入者側の伝送装置において信号多重および非多重化装置において分離されて、前記電力供給制御装置に与えられることを特徴とする請求項７に記載の加入者伝送装置。
【発明の詳細な説明】
【０００１】
【産業上の利用分野】
本発明は、交換機局から遠隔の電話加入者に対して、電話サービスを提供するための加入者伝送装置に関し、特に電話使用率が低いときに、加入者側の伝送装置における電力供給を低減することが可能な、加入者伝送装置に関するものである。
【０００２】
加入者伝送装置は、複数の加入者端末を集線して交換機局と光伝送路等で接続するものであって、加入者端末が交換機局から遠隔地に存在する場合に、このような加入者を交換機に収容するための、加入者線の伝送損失と建設費用とを低減する目的で用いられるものである。
【０００３】
人口が少ない地域では、電話の使用率が低いため、加入者側の伝送装置への全電力供給を常時行うことは、経済的に不利である。そこで、このような場合、特定の加入者数に見合った分だけ電力供給を行うようにして、消費電力量を低減できるようにすることが望ましい。
【０００４】
【従来の技術】
図７は、従来の加入者伝送装置を示したものである。図中、１１は交換機、１２は交換機側の伝送装置、１３は交換機１１および伝送装置１２に対する局電源を示し、これらは交換機局に設けられる。１４は加入者を示し、１５は加入者側の伝送装置、１６は伝送装置１５の各部に対する電源供給用のＡＣ／ＤＣ変換器であって、これらは、交換機局から離れた地域に存在する。１７は光信号等の伝送路であって、伝送装置１２，１５間を接続する。
【０００５】
交換機側の伝送装置１２において、１８は加入者送受信装置、１９は信号多重および非多重化装置、２０は伝送信号送受信装置である。加入者送受信装置１８は、交換機１１との間で、音声信号および各種制御信号の送受信を行う。信号多重および非多重化装置１９は、加入者送受信装置１８の信号を多重して伝送信号送受信装置２０に接続し、また伝送信号送受信装置２０からの多重信号を分離して、加入者送受信装置１８に接続する。伝送信号送受信装置２０は、信号多重および非多重化装置１９と伝送路１７との間で、多重信号の送受信を行う。
【０００６】
加入者側の伝送装置１５において、２１は加入者送受信装置、２２は信号多重および非多重化装置、２３は伝送信号送受信装置である。加入者送受信装置２１は、加入者１４との間で、音声信号および各種制御信号の送受信を行う。信号多重および非多重化装置２２は、加入者送受信装置２１の信号を多重して伝送信号送受信装置２３に接続し、また伝送信号送受信装置２３からの多重信号を分離して、加入者送受信装置２１に接続する。伝送信号送受信装置２３は、信号多重および非多重化装置２２と伝送路１７との間で、多重信号の送受信を行う。
【０００７】
【発明が解決しようとする課題】
図７に示された従来の加入者伝送装置においては、加入者側の伝送装置１５における加入者送受信装置２１が、すべて加入者に接続されているため、常時、全装置に電力を供給するようにしていた。
【０００８】
しかしながら、加入者伝送装置においては、加入者側の伝送装置に接続される加入者の電話使用率が低いことが多い。そのため、すべての加入者送受信装置に電力を供給することは、装置の使用率との関係で、電力供給の無駄があるという問題があった。
【０００９】
本発明は、このような従来技術の課題を解決しようとするものであって、加入者伝送装置において、加入者側の伝送装置における電話の使用率が低いときに、加入者送受信装置に対して特定の加入者数分だけ電力を供給するようにして、電力消費量の低減を可能にすることを目的としている。
【００１０】
【課題を解決するための手段】
(1) 複数の加入者を収容する加入者側の伝送装置と、交換機に接続された伝送装置とを、多重化された伝送路で接続する加入者伝送装置における、前記加入者側の伝送装置に、発呼信号と着呼信号とをそれぞれ保持するメモリと、加入者線の信号を送受信する加入者送受信装置と、電話の使用率が所定の値より低いとき、前記加入者送受信装置における特定の加入者数に対応する加入者送受信装置のみを稼働状態に設定し、該稼動状態に設定されなかった加入者送受信装置の動作を停止させるよう、加入者送受信装置への給電を切換え、該給電の切替え時に前記メモリを動作させ、該メモリを経由して発呼信号と着呼信号とを前記加入者送受信装置に接続する制御装置とを設け、加入者側の伝送装置における特定の加入者数に対応する回路のみに電力を供給する。
【００１１】
(2) 加入者線の信号を送受信する回路を複数の加入者に対応して備えた加入者送受信装置と、該加入者送受信装置の送受信信号を多重・分離する信号多重および非多重化装置と、該信号多重および非多重化装置の多重・分離する信号を送受信する伝送信号送受信装置とを備えた加入者側の伝送装置と、交換機との間で信号を送受信する回路を複数の加入者に対応して備えた加入者送受信装置と、該加入者送受信装置の送受信信号を多重・分離する信号多重および非多重化装置と、該信号多重および非多重化装置の多重・分離する信号を送受信する伝送信号送受信装置とを備えた交換機側の伝送装置とを有し、前記加入者側の伝送装置の伝送信号送受信装置と交換機側の伝送装置の伝送信号送受信装置とを伝送路を介して接続する加入者伝送装置における前記加入者側の伝送装置において、
前記加入者側の伝送装置の加入者送受信装置から発呼する信号を一時保持するメモリを該加入者送受信装置の前段に設け、該加入者送受信装置へ着呼する信号を一時保持するメモリを該加入者送受信装置の後段に設けるとともに、電話の使用率が所定の値より低いとき、該加入者送受信装置における特定の加入者数に対応する加入者送受信装置のみを稼働状態に設定し、該稼動状態に設定されなかった加入者送受信装置の動作を停止させるよう、加入者送受信装置への給電を切換え、該給電の切替え時に前記メモリを動作させ、該メモリを経由して発呼信号と着呼信号とを前記加入者送受信装置に接続する制御装置と
を設け、加入者側の伝送装置における特定の加入者数に対応する回路のみに電力を供給するようにする。
【００１２】
(3) (1) または(2) において、前記制御装置が、外部からの制御情報に応じて特定の加入者数に対応する加入者送受信装置を稼動状態に設定する切替えを行うサービス切替スイッチと、該サービス切替スイッチの切り替えに応じて、メモリにおける動作位相を制御する位相調整部と、該位相調整部からの位相調整に応じて、メモリにおける書き込み，読み出しのタイミングを制御するタイミング制御部と、該サービス切替スイッチの切り替えに応じて、加入者送受信装置中における、前記特定の加入者数に対応する加入者送受信装置を稼動状態に設定する切替命令を発生する送受信機切替命令部とを備える。
【００１３】
(4) (3) において、前記サービス切替スイッチに対する制御情報が、交換機側の伝送装置から多重信号によって伝送され、加入者側の伝送装置において信号多重および非多重化装置において分離されて、制御装置に与えられる。
【００１４】
(5) (1) または(2) において、前記特定の加入者数に対応する加入者送受信装置のみを稼働状態に設定し、他の加入者送受信装置の動作を停止させ、前記メモリを動作させる制御情報を発生する制御装置を交換機側の伝送装置に設けるとともに、該伝送装置から該制御情報を多重信号によって伝送し、加入者側の伝送装置において、信号多重および非多重化装置において分離した該制御情報に基づいて前記各制御を行う。
【００１５】
(6) (1) または(2) において、前記加入者側の伝送装置を動作させるＤＣ電源を供給するＡＣ／ＤＣ変換器における商用電源の停電時にバッテリから該ＤＣ電源を供給するとともに、該バッテリ電源供給時、前記制御装置が前記特定の加入者数に対応する加入者送受信装置のみを稼働状態に設定し、他の加入者送受信装置の動作を停止させ、前記メモリを動作させるように制御する電力供給制御装置を設ける。
【００１６】
(7) (6) において、前記電力供給制御装置が、前記ＡＣ／ＤＣ変換器からのＤＣ電源の断を検出する電源監視部と、該ＤＣ電源断の検出によってバッテリからＤＣ電源を供給するバッテリ切替部と、ＡＣ／ＤＣ変換器からのＤＣ電源またはバッテリ切替部からのＤＣ電源を伝送装置内に配電する電力配電部と、外部からの制御情報に応じて、前記電源監視部においてＡＣ／ＤＣ変換器からのＤＣ電源を遮断し、バッテリ切替部においてバッテリからＤＣ電源を供給し、電力配電部においてバッテリ切替部からのＤＣ電源を伝送装置内に配電するように制御する電源切替部とを備える。
【００１７】
(8) (7) において、前記電源切替部に対する制御情報が、交換機側の伝送装置から多重信号によって伝送され、加入者側の伝送装置において信号多重および非多重化装置において分離されて、前記電力供給制御装置に与えられる。
【００１８】
【作用】
(1) 本発明において対象とする加入者伝送装置は、複数の加入者１４を収容する加入者側の伝送装置１５と、交換機１１に接続された伝送装置１２とを、多重化された伝送路１７によって接続するものである。
【００１９】
この場合、加入者側の伝送装置１５に、発呼信号と着呼信号とをそれぞれ保持するメモリ２５，２６と、加入者線の信号を送受信する加入者送受信装置２１中の、特定の加入者数に対応する加入者送受信装置２１Ａのみを稼働状態にするとともに、メモリ２５，２６を動作させる制御装置２９とを設ける。
【００２０】
従って、電話の使用率が低いとき、制御装置２９によってこのような制御を行うことによって、加入者側の伝送装置１５における特定の加入者数に対応する回路のみに電力を供給することができ、加入者側の伝送装置１５を低消費電力化することができる。
【００２１】
(2) 本発明において対象とする加入者伝送装置は、加入者側の伝送装置１５において、加入者線の信号を送受信する回路を複数の加入者１４に対応して備えた加入者送受信装置２１と、この加入者送受信装置の送受信信号を多重・分離する信号多重および非多重化装置２２と、この信号多重および非多重化装置の多重・分離する信号を送受信する伝送信号送受信装置２３とを備えるとともに、交換機側の伝送装置１２において、交換機１１との間で信号を送受信する回路を複数の加入者に対応して備えた加入者送受信装置１８と、この加入者送受信装置の送受信信号を多重・分離する信号多重および非多重化装置１９と、この信号多重および非多重化装置の多重・分離する信号を送受信する伝送信号送受信装置２０とを備えて、伝送信号送受信装置２３と伝送信号送受信装置２０とを伝送路１７を介して接続するものである。
【００２２】
この場合に、メモリ２５を加入者送受信装置２１の前段に設けて、加入者送受信装置２１から発呼する信号を一時保持し、メモリ２６を加入者送受信装置２１の後段に設けて、加入者送受信装置２１へ着呼する信号を一時保持するとともに、制御装置２９を設けて、加入者送受信装置２１における特定の加入者数に対応する加入者送受信装置２１Ａのみを稼働状態に設定し、メモリ２５，２６を動作させるように制御を行う。
【００２３】
従って、電話の使用率が低いとき、制御装置２９によってこのような制御を行うことによって、加入者側の伝送装置１５における特定の加入者数に対応する回路のみに電力を供給することができ、加入者側の伝送装置１５を低消費電力化することができる。
【００２４】
(3) (1) または(2) の場合に、制御装置２９を、外部からの制御情報に応じて特定の加入者数に対応する加入者送受信装置２１Ａを設定する切替えを行うサービス切替スイッチ４１と、サービス切替スイッチ４１の切り替えに応じて、メモリ２５，２６における動作位相を制御する位相制御部４２と、位相制御部４２からの位相制御に応じて、メモリ２５，２６における書き込み，読み出しのタイミングを制御するタイミング制御部４３，４４と、サービス切替スイッチ４１の切り替えに応じて、加入者送受信装置２１中における、特定の加入者数に対応する加入者送受信装置２１Ａを設定する切替命令を発生する送受信機切替命令部４５とを設けることによって実現することができる。
【００２５】
(4) (3) の場合に、サービス切替スイッチ４１に対する制御情報を、交換機側の伝送装置１２から多重信号によって伝送し、加入者側の伝送装置１５において、信号多重および非多重化装置２２で多重信号から分離して、制御装置２９に与えるようにすることができる。
【００２６】
(5) (1) または(2) の場合に、制御装置３１を交換機側の伝送装置１２に設けて、特定の加入者数に対応する加入者送受信装置２１Ａのみを稼働状態に設定し、メモリ２５，２６を動作させる制御情報を発生するとともに、伝送装置１２からこの制御情報を多重信号によって伝送し、加入者側の伝送装置１５において、信号多重および非多重化装置２２でこの制御情報を分離して、この制御情報に基づいて各制御を行うようにすることができる。
【００２７】
(6) (1) または (2)の場合に、加入者側の伝送装置１５に電力供給制御装置３３を設けて、ＡＣ／ＤＣ変換器１６に対する商用電源の停電時にバッテリ３２からＤＣ電源を供給するとともに、この状態で、制御装置２９が特定の加入者数に対応する加入者送受信装置２１Ａのみを稼働状態に設定し、メモリ２５，２６を動作させるように制御を行わせることができる。
【００２８】
(7) (6) の場合に、電力供給制御装置３３を、ＡＣ／ＤＣ変換器１６からのＤＣ電源の断を検出する電源監視部５１と、このＤＣ電源断の検出によってバッテリ３２からＤＣ電源を供給するバッテリ切替部５２と、ＡＣ／ＤＣ変換器１６からのＤＣ電源またはバッテリ切替部５２からのＤＣ電源を伝送装置１５内に配電する電力配電部５３と、外部からの制御情報に応じて、電源監視部５１においてＡＣ／ＤＣ変換器１６からのＤＣ電源を遮断し、バッテリ切替部５２においてバッテリ３２からＤＣ電源を供給し、電力配電部５３においてバッテリ切替部５２からのＤＣ電源を伝送装置１５内に配電するように制御する電源切替部５４とを設けることによって実現することができる。
【００２９】
(8) (7) の場合に、電源切替部５４に対する制御情報を、交換機側の伝送装置１２から多重信号によって伝送し、加入者側の伝送装置１５において、信号多重および非多重化装置２２で多重信号から分離して、電力供給制御装置３３に与えるようにすることができる。
【００３０】
【実施例】
図２は、本発明の実施例（１）を示したものであって、加入者側の伝送装置において所要の制御を行う場合を示し、図７におけると同じものを同じ番号で示している。２１Ａは加入者送受信装置２１中の特定部分の加入者送受信装置を示し、２５，２６はメモリである。また２７，２８は、メモリ２５，２６と加入者送受信装置２１Ａを結ぶ、回線制御された加入者信号線である。
【００３１】
２９は制御装置であって、メモリ２５，２６の動作および加入者送受信装置２１Ａの設定を制御する。３０は電力供給制御装置であって、伝送装置１５内における各部に対する電力の供給を制御する。
【００３２】
図２に示された実施例においては、制御装置２９は、電話の使用率が低いときは、加入者送受信装置２１中に、特定の加入者数分に対応する加入者送受信装置２１Ａを設定する。このような設定は、発呼または通話中においても行われることがあり、そのため、加入者側および交換機側にそれぞれメモリを備えて、加入者または交換機からの発呼信号および音声信号を一時的に保持する。なお、この状態では、加入者送受信装置２１中における、特定の加入者送受信装置２１Ａとして設定されなかった加入者送受信装置は、動作を停止し電力を消費しない。
【００３３】
この状態では、加入者１４からの発呼信号に対しては、これをメモリ２５に一時的に保持し、また信号多重および非多重化装置２２において分離された着呼信号に対しては、これをメモリ２６に一時的に保持して、回線制御された加入者信号線２７，２８を経て加入者送受信装置２１Ａに接続する。加入者送受信装置２１Ａの設定が終了したのちは、発呼信号および音声信号は、メモリを経由することなく、直接、加入者送受信装置２１Ａに接続される。
【００３４】
電力供給制御装置３０は、常時は，伝送信号送受信装置２３，信号多重および非多重化装置２２および加入者送受信装置２１に対して、ＡＣ／ＤＣ変換器１６からのＤＣ電源を供給する。電話の使用率が低いときは、制御装置２９の制御に応じて設定された、特定の加入者数に対応する加入者送受信装置２１ＡのみにＤＣ電源を供給する。
【００３５】
従って、図２に示された実施例によれば、加入者側の伝送装置において、電話の使用率が低いとき、稼働する加入者送受信装置の数を少なくできるので、加入者側の伝送装置における消費電力を低減することができる。
【００３６】
図３は、図２の実施例における制御装置の構成例を示したものである。図中、４１はサービス切替スイッチであって、外部からの制御情報に応じて、電話の使用率が低いとき、特定の加入者数に対応する加入者送受信装置２１Ａを設定する切替えを行う。サービス切替スイッチ４１に対する制御情報は、例えば交換機側の伝送装置１２から多重信号として伝送路１７を経て送られて、加入者側の伝送装置１５において信号多重および非多重化装置２２において分離されて、制御装置２９に与えられる。
【００３７】
４２は位相調整部であって、サービス切替スイッチ４１の切り替えに応じて、メモリ２５および２６における動作位相を調整する。４３，４４はタイミング制御部であって、位相調整部４２からの位相調整に応じて、メモリ２５および２６における書き込み，読み出しのタイミングを制御する。
【００３８】
４５は送受信機切替命令部であって、加入者送受信装置２１中における、特定の加入者数に対応する加入者送受信装置２１Ａを設定する切替命令を発生する。４６はインタフェース部であって、タイミング制御部４３，４４からのタイミング制御情報を、メモリ２５，２６に送出し、送受信機切替命令部４５からの切替命令を加入者送受信装置２１に伝達する。
【００３９】
図４は、本発明の実施例（２）を示したものであって、加入者側の伝送装置が無人局に設置されるような場合に、交換機側の伝送装置から所要の制御を行う場合を示し、図２および図７におけると同じものを同じ番号で示している。３１は制御装置であって、図２の実施例に示された制御装置２９と同様な構成を有しており、制御信号に基づくサービス切替スイッチの切替えに応じて、インタフェース部から、メモリ２５，２６に対するタイミング制御情報および加入者送受信装置２１に対する切替命令を発生して、信号多重および非多重化装置１９に入力する。
【００４０】
これらのタイミング制御情報および切替命令は、信号多重および非多重化装置１９において、多重信号に変換されて、伝送信号上に付加信号として挿入されて、伝送信号送受信装置２０から伝送路１７を経て伝送装置１５へ送られる。伝送装置１５においては、信号多重および非多重化装置２２においてこれらの情報を分離して、メモリ２５，２６および加入者送受信装置２１に与える。
【００４１】
これによって、メモリ２５および２６における書き込み，読み出しのタイミング制御が行われるとともに、加入者送受信装置２１中における、特定の加入者数に対応する加入者送受信装置２１Ａの設定が行われる。従って図４の実施例によれば、図２に示された実施例と同様にして、電話の使用率が低いとき、稼働する加入者送受信装置の数を少なくすることができるので、加入者側の伝送装置における消費電力を低減することができる。
【００４２】
図５は、本発明の実施例（３）を示したものであって、加入者側の伝送装置においてバッテリを非常電源として有する場合に、本発明を適用して所要の制御を行う場合を示し、図２におけると同じものを同じ番号で示している。３２はバッテリであって、非常電源として動作する。３３は電力供給制御装置であって、伝送装置１５内における各部に対する電力の供給を制御する。
【００４３】
電力供給制御装置３３は、常時は、商用電源に基づくＡＣ／ＤＣ変換器１６からのＤＣ電源を、伝送装置１５内の各部に供給している。バッテリ３２は、ＡＣ／ＤＣ変換器１６からのＤＣ電源によって常時、充電されている。
【００４４】
商用電源が断になると、電力供給制御装置３３はＡＣ／ＤＣ変換器１６からのＤＣ電源の断によってこれを検出して、バッテリ３２を接続してこれからＤＣ電源を伝送装置１５内に供給する。これと同時に制御装置２９に対して指令を送って、加入者送受信装置２１中における、特定の加入者数に対応する加入者送受信装置２１Ａのみを稼働状態にする設定を行わせる。
【００４５】
これによって、伝送装置１５において低電力運転が行われるので、バッテリ３２の電力消費を低減することができ、バッテリ３２での、使用可能時間を延長することができる。
【００４６】
図６は、図５の実施例における電力供給制御装置の構成例を示したものである。図中、５１は電源監視部であって、ＡＣ／ＤＣ変換器１６からのＤＣ電源の断を検出する。５２はバッテリ切替部であって、電源監視部５１でＡＣ／ＤＣ変換器１６からのＤＣ電源の断が検出されたとき、バッテリ３２からＤＣ電源を供給する。５３は電力配電部であって、ＡＣ／ＤＣ変換器１６からのＤＣ電源またはバッテリ切替部５２からのＤＣ電源を伝送装置１５内の各部に配電する。
【００４７】
なお、外部からの制御によって、強制的にＡＣ／ＤＣ変換器１６からのＤＣ電源に代えて、バッテリ切替部５２からのＤＣ電源を伝送装置１５内に配電することもできる。図６において、５４は電源切替部であって、外部からの制御情報に応じて、電源監視部５１を制御して、ＡＣ／ＤＣ変換器１６からのＤＣ電源を遮断させ、バッテリ切替部５２を制御してバッテリ３２からＤＣ電源を供給する状態に切替えさせ、電力配電部５３を制御して、バッテリ切替部５２からのＤＣ電源が伝送装置１５内に与えるようにさせる。
【００４８】
電源切替部５４を制御する制御情報は、加入者側の伝送装置１５が無人局に設置されるような場合には、交換機側の伝送装置１２から多重信号によって伝送し、加入者側の伝送装置１５において、信号多重および非多重化装置２２でこれを多重信号から分離して、電力供給制御装置３３に与えるようにする。
【００４９】
【発明の効果】
以上説明したように本発明によれば、複数の加入者端末を集線して交換機局と光伝送路等で接続する加入者伝送装置において、電話使用率が低いときに、加入者側の伝送装置における電力供給を低減することが可能となる。
【図面の簡単な説明】
【図１】本発明の原理的構成を示す図である。
【図２】本発明の実施例（１）を示す図である。
【図３】図２の実施例における制御装置の構成例を示す図である。
【図４】本発明の実施例（２）を示す図である。
【図５】本発明の実施例（３）を示す図である。
【図６】図５の実施例における電力供給制御装置の構成例を示す図である。
【図７】従来の加入者伝送装置を示す図である。
【符号の説明】
１１  交換機
１２  伝送装置
１４  加入者
１５  伝送装置
１６  ＡＣ／ＤＣ変換器
１７  伝送路
１８  加入者送受信装置
１９  信号多重および非多重化装置
２０  伝送信号送受信装置
２１  加入者送受信装置
２１Ａ  加入者送受信装置
２２  信号多重および非多重化装置
２３  伝送信号送受信装置
２５  メモリ
２６  メモリ
２９  制御装置
３１  制御装置
３２  バッテリ
３３  電力供給制御装置
４１  サービス切替スイッチ
４２  位相調整部
４３  タイミング制御部
４４  タイミング制御部
４５  送受信機切替命令部
５１  電源監視部
５２  バッテリ切替部
５３  電力配電部
５４  電源切替部
【図１】
0003674711.tif 000002
【図２】
0003674711.tif 000003
【図３】
0003674711.tif 000004
【図４】
0003674711.tif 000005
【図５】
0003674711.tif 000006
【図６】
0003674711.tif 000007
【図７】
0003674711.tif 000008